(57)【要約】【課題】薬剤保持体の薬剤による効力を高める。【解決手段】蒸発する薬剤を保持した薬剤保持体１０と、薬剤保持体１０を収容する容器２０とを備え、容器２０に形成された薬剤放散用の開口部３３から薬剤を外部に放散させる薬剤放散器１において、容器２０は、薬剤保持体を回動可能に支持するように構成されている。【選択図】図１
2014135910.tif 000002
【特許請求の範囲】
【請求項１】
蒸発する薬剤を保持した薬剤保持体と、
上記薬剤保持体を収容する容器とを備え、
上記容器に形成された薬剤放散用の開口部から薬剤を外部に放散させるように構成された薬剤放散器において、
上記容器は、上記薬剤保持体を回動可能に支持する支持部を有していることを特徴とする薬剤放散器。
【請求項２】
請求項１に記載の薬剤放散器において、
上記薬剤保持体は、上記容器の開口部から該容器の内部に流入した空気を受けるひだ状部分を有していることを特徴とする薬剤放散器。
【請求項３】
請求項１または２に記載の薬剤放散器において、
上記容器は、中空リング状に形成され、
上記薬剤保持体は、上記容器の形状に対応するリング状に形成されていることを特徴とする薬剤放散器。
【請求項４】
請求項１から３のいずれか１つに記載の薬剤放散器において、
上記容器の支持部は、支軸で構成され、
上記薬剤保持体は、上記支軸が挿通する挿通孔を有していることを特徴とする薬剤放散器。
【発明の詳細な説明】
【技術分野】
【０００１】
本発明は、例えば虫忌避剤等の薬剤を空気中に放散する薬剤放散器に関するものである。
【背景技術】
【０００２】
従来から、この種の薬剤放散器としては、薬剤を含浸させることによって保持した薬剤保持体と、薬剤保持体を収容する容器とを備えたものが知られている（例えば、特許文献１、２参照）。特許文献１、２の薬剤放散器の容器は板状をなしており、正面側と背面側とにそれぞれ薬剤放散用の開口部が形成されている。また、薬剤保持体は、容器の形状に対応して薄いネット状に形成され、容器の内部で動かないように固定されている。薬剤保持体の薬剤が容器の開口部から外部に放散されて薬剤による虫忌避効果を得ることができるようになっている。
【先行技術文献】
【特許文献】
【０００３】
【特許文献１】特開２０１０−２９１７３号公報
【特許文献２】特開２０１１−１９５０７号公報
【発明の概要】
【発明が解決しようとする課題】
【０００４】
ところで、薬剤放散器の薬剤による効果をより一層高めたいという要求がある。これに対しては、薬剤保持体に空気を多く当てて薬剤の単位時間当たりの放散量を多くすればよい。
【０００５】
そこで容器を動かすことができるようにして容器の放散口からの外部空気の取り入れ量を多くして対応することが考えられるが、容器を動かす構造を設けるのが困難である。
【０００６】
本発明は、かかる点に鑑みてなされたものであり、その目的とするところは、容器を動かさなくても薬剤保持体の薬剤による効力を高めることができるようにすることにある。
【課題を解決するための手段】
【０００７】
上記目的を達成するために、本発明では、容器を動かさなくても薬剤保持体を単独で動かすことができるようにした。
【０００８】
第１の発明は、蒸発する薬剤を保持した薬剤保持体と、
上記薬剤保持体を収容する容器とを備え、
上記容器に形成された薬剤放散用の開口部から薬剤を外部に放散させるように構成された薬剤放散器において、
上記容器は、上記薬剤保持体を回動可能に支持する支持部を有していることを特徴とするものである。
【０００９】
この構成によれば、薬剤保持体が容器に対して支持部によって回動可能に支持されているので、容器を動かさなくても薬剤保持体を動かすことが可能になる。これにより、薬剤保持体に当たる空気の量が多くなり、薬剤の単位時間当たりの放散量が多くなる。
【００１０】
第２の発明は、第１の発明において、
上記薬剤保持体は、上記容器の開口部から該容器の内部に流入した空気を受けるひだ状部分を有していることを特徴とするものである。
【００１１】
この構成によれば、容器の外部から内部に流入した空気が薬剤保持体のひだ状部分に当たることで、薬剤保持体を空気の力によって回動させることが可能になる。また、空気の当たる面積が広くなる。
【００１２】
第３の発明は、第１または２の発明において、
上記容器は、中空リング状に形成され、
上記薬剤保持体は、上記容器の形状に対応するリング状に形成されていることを特徴とするものである。
【００１３】
この構成によれば、容器に中心孔が形成されることになるので、この中心孔に例えばドアノブ等を挿入することで薬剤放散器をドアノブに掛けておくことが可能になる。また、薬剤保持体がリング状であるため、薬剤を容器の略全周から放散することも可能になる。
【００１４】
第４の発明は、第１から３のいずれか１つの発明において、
上記容器の支持部は、支軸で構成され、
上記薬剤保持体は、上記支軸が挿通する挿通孔を有していることを特徴とするものである。
【００１５】
この構成によれば、薬剤保持体が容器の支軸に支持され、該支軸周りに回動可能となる。
【発明の効果】
【００１６】
第１の発明によれば、薬剤保持体を容器に対して回動可能に支持したので、容器を動かさなくても薬剤保持体を動かすことができ、薬剤保持体の薬剤による効力を高めることができる。
【００１７】
第２の発明によれば、薬剤保持体が空気を受けるひだ状部分を有しているので、薬剤保持体を空気の力によって回動させることができるとともに、空気の当たる面積を広く確保することができる。これにより、薬剤保持体の薬剤による効力をより一層高めることができる。
【００１８】
第３の発明によれば、容器を中空リング状にしたので、薬剤放散器を例えばドアノブ等に掛けて使用することができ、利便性を向上できる。また、薬剤保持体がリング状であることから、薬剤を容器の略全周から放散することができ、薬剤による効力をより一層高めることができる。
【００１９】
第４の発明によれば、薬剤保持体を容器の支軸によって回動可能に支持したので、薬剤保持体を支軸周りに回動させて多くの空気を当てることができる。
【図面の簡単な説明】
【００２０】
【図１】実施形態１に係る薬剤放散器を正面側から見た斜視図である。
【図２】実施形態１に係る薬剤放散器の正面図である。
【図３】実施形態１に係る薬剤放散器の平面図である。
【図４】実施形態１に係る薬剤放散器の右側面図である。
【図５】正面側部材を取り外した状態の正面図である。
【図６】実施形態１に係る薬剤放散器を背面側から見た斜視図である。
【図７】実施形態１に係る薬剤放散器の背面図である。
【図８】薬剤保持体の正面図である。
【図９】実施形態１に係る薬剤放散器の使用状態を説明する図である。
【図１０】実施形態２に係る薬剤放散器の斜視図である。
【図１１】実施形態２に係る薬剤放散器の正面図である。
【図１２】実施形態２に係る薬剤放散器の右側面図である。
【図１３】図１２におけるXIII−XIII断面図である。
【図１４】実施形態２に係る薬剤放散器の使用状態を説明する図である。
【図１５】実施形態３に係る薬剤放散器の斜視図である。
【図１６】実施形態３に係る薬剤放散器の正面図である。
【図１７】実施形態３に係る薬剤放散器の左側面図である。
【図１８】図１７におけるXVIII−XVIII断面図である。
【図１９】実施形態３に係る薬剤放散器の使用状態を説明する図である。
【図２０】実施形態４に係る薬剤放散器の斜視図である。
【図２１】実施形態４に係る薬剤放散器の正面図である。
【図２２】実施形態４に係る薬剤放散器の右面図である。
【図２３】図２１におけるXXIII−XXIII断面図である。
【図２４】図２１におけるXXIV−XXIV断面図である。
【図２５】実施形態４に係る薬剤放散器の使用状態を説明する図である。
【発明を実施するための形態】
【００２１】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２２】
（実施形態１）
図１は、本発明の実施形態１に係る薬剤放散器１の斜視図であり、図２はその正面図である。この薬剤放散器１は、図３〜図７にも示すように、蒸発する薬剤を保持した薬剤保持体１０と、薬剤保持体１０を収容する容器２０とを備えており、薬剤保持体１０に保持した薬剤を容器２０の外方へ放散して薬剤による効果を得ることができるように構成されている。
【００２３】
図５や図８に示すように、薬剤保持体１０は、液状の薬剤を含浸することによって保持可能な基材１１を有している。基材１１は、例えば不織布等で構成することができる。薬剤保持体１０の基材１１は、全体として正面視で円形リング状をなしており、山折部分と谷折部分とが周方向に交互に連続して多数のひだ状部分１２を形成している。これにより、薬剤保持体１０を収容するためのスペースを小さくしながら、基材１１の量を多くすることが可能になるので、薬剤の保持量を十分に確保できるとともに、薬剤の蒸散面積を広く確保することができる。
【００２４】
また、薬剤保持体１０は更に環状部材１３を備えている。環状部材１３は、基材１１の内周側に嵌る円環状をなしており、基材１１を構成する材料よりも硬質で変形しにくい材料（例えば樹脂材等）で構成されている。環状部材１３の外周面は基材１１の内周面に固着されている。この環状部材１３の内周側が本発明の挿通孔１３ａとなっている。
【００２５】
基材１１に保持される薬剤としては、常温で徐々に揮発する性質を有する薬剤であれば特に限定されないが、例えば虫忌避剤、殺虫剤、消臭剤、除菌剤、芳香剤等を挙げることができ、これらのうち１種のみであってもよいし、２種以上を組み合わせてもよい。
【００２６】
図１や図２に示すように、容器２０は、中空リング状に形成されている。この実施形態では、容器２０は円環状をなすように形成されており、内部形状は、上記薬剤保持体１０をリング状のまま収容して回動させることが可能な形状となっている。容器２０の中心孔Ａの直径は、例えば一般的な玄関等に用いられるドア１００（図９に示す）のドアノブ１０１を挿入することが可能な程度に設定されており、具体的には１００ｍｍ以上が好ましい。
【００２７】
容器２０の上部には、フックＦ（図１にのみ仮想線で示す）等を取り付けるための取付孔２１が該容器２０を正面側から背面側に貫通するように形成されている。尚、フックＦは取り付けなくてもよく、また、取付孔２１に紐や糸を通すことも可能である。
【００２８】
容器２０は、図３や図４に示すように、正面と背面との間の中心部において２つに分割された正面側部材３０と背面側部材４０とを組み合わせて構成されている。図２に示すように、正面側部材３０は、全体として円環状に形成され、背面側に開放する凹状断面を有している。正面側部材３０の内周部には、正面側内周接合部（支持部）３１が円環状に形成されている。正面側内周接合部３１の外側に、上記薬剤保持体１０の環状部材１３が嵌り、この状態で環状部材１３は正面側内周接合部３１に対して該正面側内周接合部３１の中心線周りに回動可能となっている。
【００２９】
正面側内周接合部３１の上部及び下部には、図７に示すように、それぞれ、背面側へ突出する係合爪部３１ａが形成されている。また、図１に示すように、正面側部材３０の外周部には、正面側外周接合部３２が円環状に形成されている。正面側外周接合部３２の近傍には、図２に示すように複数の係合孔３２ａが周方向に間隔をあけて形成されている。
【００３０】
正面側部材３０の正面側内周接合部３１と正面側外周接合部３２との間の部位は、正面側へ向けて湾曲しており、全体に亘って多数の正面側開口部３３を有している。これら正面側開口部３３は、薬剤保持体１０の薬剤を外部へ放散させるための薬剤放散用のものである。これら正面側開口部３３は、正面側部材３０の周方向に分散して開口しており、さらに、容器２０の外周面及び内周面（中心孔Ａの内周面）に対応する部位にも開口している。正面側部材３０の上部において取付孔２１と正面側内周接合部３１との間には、非開口領域である板状部３４が設けられている。この板状部３４には、例えば製造会社のロゴや商品名等を記載することができる。
【００３１】
図７に示すように、背面側部材４０も正面側部材３０と同様に全体として円環状に形成されており、正面側に開放する凹状断面を有している。背面側部材４０の内周部には、上記正面側内周接合部３１と一致する形状の背面側内周接合部（支持部）４１が円環状に形成されている。背面側内周接合部４１の外側に、上記薬剤保持体１０の環状部材１３が嵌り、この状態で環状部材１３は背面側内周接合部４１に対して該背面側内周接合部４１の中心線周りに回動可能となっている。背面側内周接合部４１と正面側内周接合部３１とで本発明の支軸が構成される。
【００３２】
図２に示すように、背面側内周接合部４１の上部及び下部には、それぞれ、上記正面側部材３０の係合爪部３１ａが引っ掛かって係合状態となる係合凹部４１ａが形成されている。
【００３３】
また、図１に示すように、背面側部材４０の外周部には、上記正面側外周接合部３２と一致する背面側外周接合部４２が円環状に形成されている。図２に示すように、背面側外周接合部４２の近傍には、正面側へ突出する複数の係合爪部４２ａが形成されている。これら係合爪部４２ａは、上記正面側部材３０の係合孔３２ａと一致するように配置されており、該係合孔３２ａに引っ掛かって係合するようになっている。
【００３４】
背面側部材４０の背面側内周接合部４１と背面側外周接合部４２との間の部位は、背面側へ向けて湾曲しており、全体に亘って多数の背面側開口部４３を有している。これら背面側開口部４３も薬剤放散用のものであり、正面側開口部３３と同様に背面側部材４０の周方向に分散して開口するとともに、容器２０の外周面及び内周面に対応する部位にも開口している。図６や図７に示すように、背面側部材４０の下部において背面側内周接合部４１と背面側外周接合部４２との間には、非開口領域である板状部４４が設けられている、この板状部４４には、例えば本薬剤放散器１の取扱上の注意事項等を記載することができる。
【００３５】
図６や図７に示すように、背面側部材４０の背面側内周接合部４１と背面側外周接合部４２との間の部位には、薬剤保持体１０に薬剤を供給するための複数の薬剤供給口４６が形成されている。薬剤供給口４６は、背面側部材４０の周方向に長い長孔形状であり、周方向に互いに間隔をあけて並んでいる。この薬剤供給口４６からも薬剤を放散させることができる。
【００３６】
次に、上記のように構成された薬剤放散器１を製造する場合について説明する。まず、正面側部材３０及び背面側部材４０を準備し、また、薬剤を保持させていない状態の薬剤保持体１０を準備する。
【００３７】
そして、薬剤保持体１０を正面側部材３０または背面側部材４０に、その開放側から収容する。例えば正面側部材３０に収容した場合には、薬剤保持体１０の環状部材１３に、正面側部材３０の正面側内周接合部３１が嵌る。
【００３８】
しかる後、正面側部材３０と背面側部材４０との開放側同士を合わせて一体化する。このとき、正面側部材３０の係合爪部３１ａを背面側部材４０の係合凹部４１ａに係合させるとともに、背面側部材４０の係合爪部４２ａを正面側部材３０の係合孔３２ａに係合させる。これにより、正面側内周接合部３１と背面側内周接合部４１とが全周に亘って接触して薬剤保持体１０を回動可能に支持する支軸を構成する。また、正面側外周接合部３２と背面側外周接合部４２とも全周に亘って接合する。
【００３９】
薬剤保持体１０の環状部材１３に、背面側部材４０の背面側内周接合部４１が嵌るので、薬剤保持体１０は、正面側内周接合部３１と背面側内周接合部４１とによって回動可能に支持されることになる。
【００４０】
次いで、薬剤保持体１０に薬剤を含浸させることによって保持させる。すなわち、背面側部材４０の各薬剤供給口４６から薬剤を薬剤保持体１０に供給する。このとき、薬剤供給口４６が容器２０の周方向に長く、かつ、周方向に互いに間隔をあけて複数設けられているので、薬剤保持体１０の全体に薬剤を供給することができ、薬剤の保持量を十分な量にすることができる。
【００４１】
尚、薬剤は、薬剤保持体１０を正面側部材３０や背面側部材４０に組み付ける前に薬剤保持体１０に保持させておいてもよい。この場合、薬剤供給口４６からの薬剤の供給工程は不要である。
【００４２】
上記のようにして得られた薬剤放散器１を使用する場合には、図９に示すようにドアノブ１０１を中心孔Ａに挿入して薬剤放散器１をドアノブ１０１に吊り下げて使用することができる。使用時には、薬剤保持体１０に保持されている薬剤が徐々に揮発し、揮発した薬剤は、容器２０の正面側開口部３３、背面側開口部４３及び薬剤供給口４６から外部へ放散される。容器２０の正面や背面のみならず、側面や上面、底面等にも薬剤放散用の開口部３３，３４を形成しているので、多くの薬剤が広い範囲に放散される。
【００４３】
また、特に屋外で風があるときには、容器２０の正面側開口部３３や背面側開口部４３から空気が内部に流入することがある。容器２０の内部に流入した空気は、薬剤保持体１０に当たることになるが、このとき、薬剤保持体１０は容器２０に対し回動可能に支持されているとともに、空気を受けるひだ状部分１２を有しているので、空気の力によって回動する。これにより、容器２０を動かさなくても薬剤保持体１０を動かすことが可能になるので、薬剤保持体１０に当たる空気の量が多くなり、薬剤の単位時間当たりの放散量が多くなる。
【００４４】
また、ドア１００を開閉する都度、薬剤放散器１が動くことになるので、外部の空気が正面側開口部３３及び背面側開口部４３から容器２０の内部に出入りし、このことによっても薬剤の放散量が多くなる。
【００４５】
また、薬剤放散器１をドア１００の外側に吊り下げておくことで、薬剤放散器１をドア１００の飾りとしても利用することができる。この場合、薬剤放散器１の容器２０を、デザイン性の高い色に着色するのが好ましい。また、これとは反対に、薬剤放散器１が目立たないように暗めの色に着色することもできる。
【００４６】
使用時には、図１に示すフックＦを用いて例えばドアノブ１０１等に吊り下げることもできる。この場合、フックＦも薬剤放散器１の構成要素となる。
【００４７】
以上説明したように、この実施形態１に係る薬剤放散器１によれば、薬剤保持体１０を容器２０に対して回動可能に支持したので、容器２０を動かさなくても薬剤保持体１０を動かすことができ、薬剤保持体１０の薬剤による効力を高めることができる。
【００４８】
また、薬剤保持体１０が空気を受けるひだ状部分１２を有しているので、薬剤保持体を空気の力によって回動させることができるとともに、空気の当たる面積を広く確保することができる。これにより、薬剤保持体１０の薬剤による効力をより一層高めることができる。
【００４９】
また、容器２０を中空リング状にしたので、薬剤放散器１を例えばドアノブ１０１等に掛けて使用することができ、利便性を向上できる。また、薬剤保持体１０がリング状であるため、薬剤を容器２０の略全周から放散することができ、薬剤による効力をより一層高めることができる。
【００５０】
尚、上記実施形態では、容器２０の略全体に正面側開口部３３及び背面側開口部４３を形成しているが、これに限らず、正面側開口部３３のみ、または背面側開口部４３のみに形成してもよい。
【００５１】
（実施形態２）
図１０は、本発明の実施形態２に係る薬剤放散器１の斜視図である。この実施形態２の薬剤放散器１は、容器２０が円筒状である点と、薬剤保持体１０が円筒状である点で実施形態１のものと異なっている。以下、実施形態１と異なる部分について詳細に説明する。
【００５２】
実施形態２の薬剤放散器１の容器２０は、上下方向に延びる略円筒状に形成されている。図１１〜図１３に示すように、容器２０の周壁部２３は、上下方向中央部が最も大径で、上端部及び下端部に近づくほど径が小さくなるように形成されている。周壁部２３の上側には、複数の薬剤放散用の上側開口部２３ａが周方向に互いに間隔をあけて形成されている。上側開口部２３ａは、上下方向に長い形状であり、容器２０の上端壁に亘って開口している。また、周壁部２３の下側にも、上側と同様に下側開口部２３ｂが周方向に互いに間隔をあけて形成されており、下側開口部２３ｂは、容器２０の下端壁に亘って開口している。
【００５３】
容器２０の上端壁には、帯状の吊り下げ部材５０が設けられている。吊り下げ部材５０は、容器２０の上端壁から上方へ突出し、所定の大きさの輪を形成するように屈曲している。吊り下げ部材５０には、輪の大きさを調整するための調整部材５１が設けられている。吊り下げ部材５０の輪の大きさは、図１４に示すようにドアノブ１０１を挿入することが可能な程度に設定されている。
【００５４】
図１３に示すように、容器２０の内部には、上下方向に延びる支軸（支持部）５３が設けられている。支軸５３の上端部は容器２０の上壁部の略中心部に固定され、下端部は容器２０の下壁部の略中心部に固定されている。
【００５５】
薬剤保持体１０は、上下方向に長く延びており、中心部には上記支軸５３が挿通する挿通孔１０ａが形成されている。挿通孔１０ａに支軸５３を挿通した状態で、薬剤保持体１０は支軸５３周りに回動可能に支持される。
【００５６】
薬剤保持体１０の基材１１には、山折部分と谷折部分とが挿通孔１０ａの周方向に交互に形成されており、これら山折部分と谷折部分とにより、上下方向に延びる複数のひだ状部分１２が構成されている。
【００５７】
次に、実施形態２に係る薬剤放散器１を使用する場合について説明する。容器２０の上側開口部２３ａや下側開口部２３ｂから空気が内部に流入した場合、その空気が薬剤保持体１０に当たる。すると、薬剤保持体１０が容器２０に対し支軸５３によって回動可能に支持されているとともに、空気を受けるひだ状部分１２を有しているので、空気の力によって回動する。これにより、容器２０を動かさなくても薬剤保持体１０を動かすことが可能になるので、薬剤保持体１０に当たる空気の量が多くなり、薬剤の単位時間当たりの放散量が多くなる。したがって、実施形態１のものと同様な作用効果を奏することができる。
【００５８】
また、この実施形態２の薬剤放散器１は、吊り下げることなく、台の上に置いて使用することもできる。
【００５９】
（実施形態３）
図１５は、本発明の実施形態３に係る薬剤放散器１の斜視図である。この実施形態３の薬剤放散器１は、容器２０の形状が実施形態１のものと異なっている。以下、実施形態１と異なる部分について詳細に説明する。
【００６０】
実施形態３の容器２０は、実施形態１と同様なリング状であるが、正面側には多数のフィン６０が設けられる一方、背面側には薬剤放散用の開口部が形成されていない構造となっている。すなわち、容器２０は、円筒状の外周壁部２０ａと、中心孔Ａを形成する円筒状の内周壁部（支持部）２０ｂとを有しており、これら外周壁部２０ａ及び内周壁部２０ｂの間の部分が正面側へ向けて膨出するように形成されている。容器２０の正面側には、薬剤放散用の開口部２４が中心孔Ａに対して下方へ偏心した状態で形成されている。フィン６０は、容器２０の内周壁部２０ｂから正面側を経て外周壁部２０ａに達するまで延びている。また、フィン６０は、開口部２４を径方向に横切っている。容器２０の背面は、略平坦に形成されている。
【００６１】
容器２０の上部には、フック６５が設けられている。フック６５は、容器２０の外周壁部２０ａの左側から上方へ延びた後、下方へ湾曲形成されており、フック６５の先端部は外周壁部２０ａの右側に接近している。フック６５は、例えば図１９に示すようにドアノブ１０１に掛けることができるようになっている。容器２０の外周壁部２０ａの右側には、フック６５の先端部に向けて突出する突出部６６が設けられている。
【００６２】
薬剤保持体１０の基本構造は実施形態１のものと同様である。図１８に示すように、薬剤保持体１０の環状部材１３は、容器２０の内周壁部２０ｂの外側に嵌るようになっている。この状態で薬剤保持体１０は内周壁部２０ｂに対して該内周壁部２０ｂの中心線周りに回動可能に支持される。
【００６３】
次に、実施形態３に係る薬剤放散器１を使用する場合について説明する。容器２０の開口部２４から空気が内部に流入した場合、その空気が薬剤保持体１０に当たると、薬剤保持体１０が容器２０に対し内周壁部２０ｂによって回動可能に支持されているとともに、空気を受けるひだ状部分１２を有しているので、空気の力によって回動する。これにより、容器２０を動かさなくても薬剤保持体１０を動かすことが可能になるので、薬剤保持体１０に当たる空気の量が多くなり、薬剤の単位時間当たりの放散量が多くなる。したがって、実施形態１のものと同様な作用効果を奏することができる。
【００６４】
（実施形態４）
図２０は、本発明の実施形態４に係る薬剤放散器１の斜視図である。この実施形態４の薬剤放散器１は、容器２０の形状が実施形態１のものと異なっている。以下、実施形態１と異なる部分について詳細に説明する。
【００６５】
実施形態４の容器２０は、正面と背面との間の中心部において２つに分割された正面側部材７０と背面側部材８０とを組み合わせて構成されている。容器２０には、複数の薬剤放散用の開口部２７が形成されている。開口部２７は、容器２０の右上部分、左上部分、右下部分、左下部分にそれぞれ形成されている。各開口部２７は、容器２０の正面側から背面側に亘って大きく開口している。
【００６６】
正面側部材７０の外周部には、円環状に延びる正面側接合部７１が形成されている。また、背面側部材８０の外周部には、上記正面側接合部７１に一致する形状の背面側接合部８１が形成されている。
【００６７】
容器２０の上部には、帯状の吊り下げ部材８５が設けられている。吊り下げ部材８５は、容器２０の上端部から上方へ突出して屈曲し、環状をなしている。吊り下げ部材８５の内部には、例えば図２５に示すようにドアノブ１０１が挿入されるようになっている。
【００６８】
図２３や図２４に示すように、容器２０の内部には、正面側から背面側へ延びる支軸（支持部）８６が設けられている。支軸８６は容器２０の中心部に位置付けられており、支軸８６の正面側の端部は、正面側部材７０の中心部に固定され、背面側の端部は、背面側部材８０の中心部に固定されている。薬剤保持体１０の環状部材１３の内側の挿通孔１３ａに支軸８６が挿入されるようになっており、この状態で、薬剤保持体１０は支軸５３周りに回動可能に支持される。
【００６９】
次に、実施形態４に係る薬剤放散器１を使用する場合について説明する。容器２０の開口部２７から空気が内部に流入した場合、その空気が薬剤保持体１０に当たると、薬剤保持体１０が容器２０に対し支軸８６によって回動可能に支持されているとともに、空気を受けるひだ状部分１２を有しているので、空気の力によって回動する。これにより、容器２０を動かさなくても薬剤保持体１０を動かすことが可能になるので、薬剤保持体１０に当たる空気の量が多くなり、薬剤の単位時間当たりの放散量が多くなる。したがって、実施形態１のものと同様な作用効果を奏することができる。
【００７０】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００７１】
以上説明したように、本発明に係る薬剤放散器は、例えばドアノブに吊り下げて使用することができる。
【符号の説明】
【００７２】
１          薬剤放散器
１０        薬剤保持体
１０ａ      挿通孔
１２        ひだ状部分
１３        環状部材
１３ａ      挿通孔
２０        容器
２３ａ      上側開口部（薬剤放散用の開口部）
２３ｂ      下側開口部（薬剤放散用の開口部）
２４        開口部
２７        開口部
３０        正面側部材
３１        正面側内周接合部（支持部）
３３        正面側開口部（薬剤放散用の開口部）
４０        背面側部材
４１        背面側内周接合部（支持部）
４３        背面側開口部（薬剤放散用の開口部）
５３        支軸
８６        支軸
【図１】
2014135910.tif 000003
【図２】
2014135910.tif 000004
【図３】
2014135910.tif 000005
【図４】
2014135910.tif 000006
【図５】
2014135910.tif 000007
【図６】
2014135910.tif 000008
【図７】
2014135910.tif 000009
【図８】
2014135910.tif 000010
【図９】
2014135910.tif 000011
【図１０】
2014135910.tif 000012
【図１１】
2014135910.tif 000013
【図１２】
2014135910.tif 000014
【図１３】
2014135910.tif 000015
【図１４】
2014135910.tif 000016
【図１５】
2014135910.tif 000017
【図１６】
2014135910.tif 000018
【図１７】
2014135910.tif 000019
【図１８】
2014135910.tif 000020
【図１９】
2014135910.tif 000021
【図２０】
2014135910.tif 000022
【図２１】
2014135910.tif 000023
【図２２】
2014135910.tif 000024
【図２３】
2014135910.tif 000025
【図２４】
2014135910.tif 000026
【図２５】
2014135910.tif 000027